(57)【要約】【課題】発光ダイオード灯棒状灯具を提供する。【解決手段】灯具ソケットと、複数組の主照明灯棒と、を含み、該灯具ソケットは、板体で成形したソケット体であり、各主照明灯棒は、ヒートシンク体と、該ヒートシンク体中に設ける回路板と、該ヒートシンク体に着脱可能に組み付け、該回路板に電気接続する複数の高効率発光ダイオードモジュールと、を含み、該主照明灯棒は、該ヒートシンク体が着脱可能に該灯具ソケット上に組み付けられ、該高効率発光ダイオードモジュールが外に投光することができ、該ヒートシンク体が迅速且つ効率的に高効率発光ダイオードモジュール点灯時に発生する高温を散熱し、使用寿命を延長し、モジュール化設計を利用し、該発光ダイオード灯棒状灯具が修理が容易で、配光曲線の設計が容易である効用を有する。【選択図】図１
0003146628.tif 000002
【実用新案登録請求の範囲】
【請求項１】
灯具ソケットと、複数組の主照明灯棒とを含み、
前記灯具ソケットは、板体で成形したソケット体であり、
前記各主照明灯棒は、ヒートシンク体と、該ヒートシンク体中に設ける回路板と、該ヒートシンク体に組み付け、該回路板に電気接続する複数の高効率発光ダイオードモジュールとを含み、前記主照明灯棒は前記ヒートシンク体が着脱可能に前記灯具ソケット上に組み付けられ、前記高効率発光ダイオードモジュールが外に投光することができることを特徴とする発光ダイオード灯棒状灯具。
【請求項２】
前記発光ダイオード灯棒状灯具が、該灯具上に設ける少なくとも１つの景観灯棒を更に含むことを特徴とする請求項１記載の発光ダイオード灯棒状灯具。
【請求項３】
前記灯具ソケットのソケット体が板体の湾曲成形した立体構成部材であり、該ソケット体が平板部と、該平板部側端に成形される少なくとも１つの傾斜板部を有し、前記傾斜板部が該平板部に対応して傾斜角度を呈し、該主照明灯棒がそれぞれ該平板部および傾斜板部上に組み付けられ、該主照明灯棒がそれぞれ複数の高効率発光ダイオードモジュールを有し、該灯具ソケット上に矩形状に配列してなることを特徴とする請求項１記載の発光ダイオード灯棒状灯具。
【請求項４】
前記灯具ソケットのソケット体が板体の湾曲成形した立体構成部材であり、該ソケット体が平板部と、該平板部側端に成形される少なくとも１つの傾斜板部を有し、前記傾斜板部が該平板部に対応して傾斜角度を呈し、該主照明灯棒がそれぞれ該平板部および傾斜板部上に組み付けられ、該主照明灯棒がそれぞれ複数の高効率発光ダイオードモジュールを有し、該灯具ソケット上に矩形状に配列してなることを特徴とする請求項２記載の発光ダイオード灯棒状灯具。
【請求項５】
前記発光ダイオード灯棒状灯具が、該灯具ソケット上に設けられる２つの景観灯棒を有し、該灯具ソケットのソケット体の両側の最外側の傾斜板部末端に延伸する縦板部を持続し、該２つの縦板部上に２つの接続部を相互に間隔を置いて設置し、該２つの景観灯棒をそれぞれその上に組み付けさせることを特徴とする請求項４記載の発光ダイオード灯棒状灯具。
【請求項６】
前記景観灯棒は、導光体、高効率発光ダイオードモジュール、制御回路板および２つの端蓋を含み、該高効率発光ダイオードモジュールが該導光体の一端に組み付けられ、該２つの端蓋は、それぞれ該導光体の両端に組み付けられ、その１つの端蓋は、該高効率発光ダイオードモジュールを内に覆い、該２つの蓋端が該灯具両側の縦板部の接続部上に組み付けられることを特徴とする請求項４記載の発光ダイオード灯棒状灯具。
【請求項７】
前記景観灯棒の制御回路板は、入力端は、都市電源の交流電源に接続し、該交流電源の周波数をサンプリングし、出力端は、相対する連続パルスを送る交流電源周波数サンプリング回路と、
複数組の変化モードを内蔵した制御回路と、
を含み、該制御回路の入力端が前記交流電源周波数サンプリング回路に接続し、該連続パルスを受信し、このパルスが交流電源周波数と同期を得て、変化モードに基づき制御信号を発生することによって、高効率発光ダイオードモジュールの複数の発光ダイオードユニットの明滅及びカラー変化を制御することを特徴とする請求項２記載の発光ダイオード灯棒状灯具。
【請求項８】
前記景観灯棒の制御回路板は、入力端は、都市電源の交流電源に接続し、該交流電源の周波数をサンプリングし、出力端は、相対する連続パルスを送る交流電源周波数サンプリング回路と、
複数組の変化モードを内蔵した制御回路と、
を含み、該制御回路の入力端が前記交流電源周波数サンプリング回路に接続し、該連続パルスを受信し、このパルスが交流電源周波数と同期を得て、変化モードに基づき制御信号を発生することによって、高効率発光ダイオードモジュールの複数の発光ダイオードユニットの明滅及びカラー変化を制御することを特徴とする請求項６記載の発光ダイオード灯棒状灯具。
【請求項９】
前記灯具が更に、複数のヒートシンク孔を有する灯マスクを含み、該灯具上に設けてなることを特徴とする請求項１乃至８のいずれか１項記載の発光ダイオード灯棒状灯具。
【請求項１０】
前記灯具が該灯具上に組み付けられる溶接固定ソケットを含むことを特徴とする請求項１乃至８のいずれか１項記載の発光ダイオード灯棒状灯具。
【請求項１１】
前記溶接固定ソケットがソケット体と、第１調整部材と、第２調整部材を含み、該ソケット体が該灯具ソケット上に組み付けられ、該第１調整部材が該ソケット体側端に設けられ、該第２調整部材が相対して嵌合できる嵌合部を有し、且つ該嵌合部が貫通固定する螺子であることを特徴とする求項１０記載の発光ダイオード灯棒状灯具。
【請求項１２】
前記主照明灯棒のヒートシンク体は、該ヒートシンク体の出光面に位置する組み付け板と、該ヒートシンク体内部に位置し、且つ両端に開口を形成する収容領域と、該ヒートシンク体外側面に成形される複数のヒートシンクフィンを含み、該ヒートシンク体の終了領域の開口箇所にそれぞれ側蓋を設け、防水パッドを組み合わせ防水性の密封をつくり、組み付け板上に貫通孔を設け、該回路板が該ヒートシンク体の収容領域内に設けられ、その上に少なくとも１つのコネクタを設け、且つ該回路板が外接する導線が側蓋外に伸び、前記高効率発光ダイオードモジュールが高効率発光ダイオードを含むユニットであり、該高効率発光ダイオードモジュールが1組のピンを含み該回路板上にコネクタ上に着脱可能に挿入でき、該高効率発光ダイオードモジュールの発光端が該組み付け板の貫通孔を通過し外部に投光することができることを特徴とする請求項１乃至８のいずれか１項記載の発光ダイオード灯棒状灯具。
【請求項１３】
前記主照明灯棒の各高効率発光ダイオードモジュールの出光端に光反射マスクを装着し、該組み付け板上に固定し、該光反射マスク前端に透光体を装着し、該透光体が平面レンズ、凸レンズ、凹レンズ中から一種を選択することを特徴とする求項１２記載の発光ダイオード灯棒状灯具。
【請求項１４】
前記主照明灯棒のヒートシンク体外周面に複数のヒートシンクフィンを形成し、該ヒートシンク体中に開口を有する収容領域を形成し、該収容領域開口箇所に着脱可能な組み付け板を装着し、該組み付け板上に少なくとも１つの貫通孔を設け、該ヒートシンク体両端に連通する収容領域の開口箇所にそれぞれ側蓋を設け、防水パッドを結合し、防水性密封し、該回路板は、導熱性を有する回路板であり、該ヒートシンク体の収容領域内に設けられ、ヒートシンク体の側蓋外に伸びる導線を外接し、前記高効率発光ダイオードモジュールが高効率発光ダイオードを内に含む１組の構成部材であり、該回路板上に溶接され、該高効率発光ダイオードモジュールの発光端が該組み付け板の貫通孔を通過し外部に投光できることを特徴とする請求項１乃至８のいずれか１項記載の発光ダイオード灯棒状灯具。
【請求項１５】
前記主照明灯棒の各高効率発光ダイオードモジュールの出光端に光反射マスクを装着し、該回路板上に組み付け、該光反射マスク前端に透光体を装着し、該透光体が平面レンズ、凸レンズ、凹レンズ中から一種を選択することを特徴とする請求項１４記載の発光ダイオード灯棒状灯具。
【考案の詳細な説明】
【技術分野】
【０００１】
本考案は、発光装置に関し、特に、室外の灯桿上で灯具または、その他の照明または造景用途として応用可能な発光ダイオード灯棒状灯具設計に関する。
【背景技術】
【０００２】
現在公知の街灯等に発光ダイオード灯具を応用する設計は、図１１に示すように、光盤のような組成構造設計を採用し、即ち、公知の発光ダイオード灯具は、複数の高効率発光ダイオードモジュール４０を逐一アルミ質回路板４１上に溶接し、その線路を電機接続し、アルミ質回路板４１を大型ヒートシンク片を有するヒートシンク灯ソケット４２上に接続し、高効率発光ダイオードモジュール４０が発生する熱を該アルミ質回路板４１を経由して該大型ヒートシンク片を有するヒートシンク灯ソケット４２に伝導し、また、該高効率発光ダイオード灯具は、街灯の灯桿上端に組み付けられ、夜間道路照明の用途に提供する。
【特許文献１】特開２００３−１００１１１号公報
【考案の開示】
【考案が解決しようとする課題】
【０００３】
前記発光ダイオード灯具の使用は、光を灯具等の照明用途として提供できるが、該発光ダイオード灯具は、実際の使用の過程中、以下の欠点を有する：
１．修理が不便である。
２．ヒートシンク性能が良好ではない。
３．配光曲線設計が困難である：一般の高効率発光ダイオードが発出する光は円形であり、公知の発光ダイオード灯具が発出する光形状も、円形に近いが、一般の街灯が必要な配光曲線は長い棒状の楕円形であり、道路照明の需要を満足するものであり、公知の発光ダイオード灯具の配光曲線が長い棒状の楕円形を達成しようとする場合、そのアルミ質の回路板と大型のヒートシンク灯ソケットは、何れも合わせて変更する必要があり、各種配光曲線に応じて各種異なるアルミ質回路板と大型ヒートシンクソケットを有する必要があるので、鋳型および製造コストの浪費を増大し、公知の発光ダイオード灯具は、各種配光曲線をなす変化設計は困難である。
【０００４】
本考案は前記の欠点に鑑みてなされたもので、その目的は、発光ダイオード灯棒状灯具を提供し、その設計によって、従来の発光ダイオード灯具の修理が不便であり、ヒートシンク効果が良好でなく、光形状が設計困難である等の欠点を克服することである。
【０００５】
本考案のもう１つの目的は、ＬＥＤ基板の塗布層が溶接点表面と空気の接触する面積を増加することができ、ＬＥＤ基板のヒートシンク面積を大きくし、排熱に有利であるＬＥＤ基板ヒートシンク構造を提供することにある。
【０００６】
本考案のもう１つの目的は、さらに、該発光ダイオード灯棒状灯具が、配光曲線設計が容易な効用を有することである。
【０００７】
本考案のもう１つの目的は、さらに、該発光ダイオード灯棒状灯具中、少なくとも１つの景観灯棒を含み、該灯具ソケット上に設け、該発光ダイオード灯棒状灯具に該灯具ソケットの複数の主照明灯棒を整合させ、街灯中に灯具として応用できるようにすることである。
【０００８】
本考案のさらにもう１つの目的は、本考案の景観灯棒中の高効率発光ダイオードモジュールをフルカラー型の高効率発光ダイオードモジュールとし、該回路板に都市電源の交流電源周波数サンプリング回路を利用し、交流電源周波数をサンプリングすることができるようにし、この交流電源周波数を時間計算の基準とし、発光ダイオード景観灯棒の同期制御を行い、同一領域内の発光ダイオード景観灯棒を一緒に点灯変色させる時、長時間の同期変色の効果を維持することができるようにすることである。
【課題を解決するための手段】
【０００９】
上記の課題を解決するため、本考案が設計する発光ダイオード灯棒状灯具は、板体状のソケット体である灯具ソケットと、複数組の主照明灯棒を含むものである。
即ち、請求項１の考案は、灯具ソケットと、複数組の主照明灯棒とを含み、前記灯具ソケットは、板体で成形したソケット体であり、前記各主照明灯棒は、ヒートシンク体と、該ヒートシンク体中に設ける回路板と、該ヒートシンク体に組み付け、該回路板に電気接続する複数の高効率発光ダイオードモジュールとを含み、前記主照明灯棒は前記ヒートシンク体が着脱可能に前記灯具ソケット上に組み付けられ、前記高効率発光ダイオードモジュールが外に投光することができることを特徴とする発光ダイオード灯棒状灯具である。
【００１０】
請求項２の考案は、前記発光ダイオード灯棒状灯具が、該灯具上に設ける少なくとも１つの景観灯棒を更に含むことを特徴とする請求項１記載の発光ダイオード灯棒状灯具である。
請求項３の考案は、前記灯具ソケットのソケット体が板体の湾曲成形した立体構成部材であり、該ソケット体が平板部と、該平板部側端に成形される少なくとも１つの傾斜板部を有し、前記傾斜板部が該平板部に対応して傾斜角度を呈し、該主照明灯棒がそれぞれ該平板部および傾斜板部上に組み付けられ、該主照明灯棒がそれぞれ複数の高効率発光ダイオードモジュールを有し、該灯具ソケット上に矩形状に配列してなることを特徴とする請求項１記載の発光ダイオード灯棒状灯具である。
請求項４の考案は、前記灯具ソケットのソケット体が板体の湾曲成形した立体構成部材であり、該ソケット体が平板部と、該平板部側端に成形される少なくとも１つの傾斜板部を有し、前記傾斜板部が該平板部に対応して傾斜角度を呈し、該主照明灯棒がそれぞれ該平板部および傾斜板部上に組み付けられ、該主照明灯棒がそれぞれ複数の高効率発光ダイオードモジュールを有し、該灯具ソケット上に矩形状に配列してなることを特徴とする請求項２記載の発光ダイオード灯棒状灯具である。
請求項５の考案は、前記発光ダイオード灯棒状灯具が、該灯具ソケット上に設けられる２つの景観灯棒を有し、該灯具ソケットのソケット体の両側の最外側の傾斜板部末端に延伸する縦板部を持続し、該２つの縦板部上に２つの接続部を相互に間隔を置いて設置し、該２つの景観灯棒をそれぞれその上に組み付けさせることを特徴とする請求項４記載の発光ダイオード灯棒状灯具である。
【００１１】
請求項６の考案は、前記景観灯棒は、導光体、高効率発光ダイオードモジュール、制御回路板および２つの端蓋を含み、該高効率発光ダイオードモジュールが該導光体の一端に組み付けられ、該２つの端蓋は、それぞれ該導光体の両端に組み付けられ、その１つの端蓋は、該高効率発光ダイオードモジュールを内に覆い、該２つの蓋端が該灯具両側の縦板部の接続部上に組み付けられることを特徴とする請求項４記載の発光ダイオード灯棒状灯具である。
請求項７の考案は、前記景観灯棒の制御回路板は、入力端は、都市電源の交流電源に接続し、該交流電源の周波数をサンプリングし、出力端は、相対する連続パルスを送る交流電源周波数サンプリング回路と、複数組の変化モードを内蔵した制御回路と、
を含み、該制御回路の入力端が前記交流電源周波数サンプリング回路に接続し、該連続パルスを受信し、このパルスが交流電源周波数と同期を得て、変化モードに基づき制御信号を発生することによって、高効率発光ダイオードモジュールの複数の発光ダイオードユニットの明滅及びカラー変化を制御することを特徴とする請求項２記載の発光ダイオード灯棒状灯具である。
請求項８の考案は、前記景観灯棒の制御回路板は、入力端は、都市電源の交流電源に接続し、該交流電源の周波数をサンプリングし、出力端は、相対する連続パルスを送る交流電源周波数サンプリング回路と、複数組の変化モードを内蔵した制御回路とを含み、該制御回路の入力端が前記交流電源周波数サンプリング回路に接続し、該連続パルスを受信し、このパルスが交流電源周波数と同期を得て、変化モードに基づき制御信号を発生することによって、高効率発光ダイオードモジュールの複数の発光ダイオードユニットの明滅及びカラー変化を制御することを特徴とする請求項６記載の発光ダイオード灯棒状灯具である。
請求項９の考案は、前記灯具が更に、複数のヒートシンク孔を有する灯マスクを含み、該灯具上に設けてなることを特徴とする請求項１乃至８のいずれか１項記載の発光ダイオード灯棒状灯具である。
請求項１０の考案は、前記灯具が該灯具上に組み付けられる溶接固定ソケットを含むことを特徴とする請求項１乃至８のいずれか１項記載の発光ダイオード灯棒状灯具である。
請求項１１の考案は、前記溶接固定ソケットがソケット体と、第１調整部材と、第２調整部材を含み、該ソケット体が該灯具ソケット上に組み付けられ、該第１調整部材が該ソケット体側端に設けられ、該第２調整部材が相対して嵌合できる嵌合部を有し、且つ該嵌合部が貫通固定する螺子であることを特徴とする求項１０記載の発光ダイオード灯棒状灯具である。
【００１２】
請求項１２の考案は、前記主照明灯棒のヒートシンク体は、該ヒートシンク体の出光面に位置する組み付け板と、該ヒートシンク体内部に位置し、且つ両端に開口を形成する収容領域と、該ヒートシンク体外側面に成形される複数のヒートシンクフィンを含み、該ヒートシンク体の終了領域の開口箇所にそれぞれ側蓋を設け、防水パッドを組み合わせ防水性の密封をつくり、組み付け板上に貫通孔を設け、該回路板が該ヒートシンク体の収容領域内に設けられ、その上に少なくとも１つのコネクタを設け、且つ該回路板が外接する導線が側蓋外に伸び、前記高効率発光ダイオードモジュールが高効率発光ダイオードを含むユニットであり、該高効率発光ダイオードモジュールが1組のピンを含み該回路板上にコネクタ上に着脱可能に挿入でき、該高効率発光ダイオードモジュールの発光端が該組み付け板の貫通孔を通過し外部に投光することができることを特徴とする請求項１乃至８のいずれか１項記載の発光ダイオード灯棒状灯具である。
請求項１３の考案は、前記主照明灯棒の各高効率発光ダイオードモジュールの出光端に光反射マスクを装着し、該組み付け板上に固定し、該光反射マスク前端に透光体を装着し、該透光体が平面レンズ、凸レンズ、凹レンズ中から一種を選択することを特徴とする求項１２記載の発光ダイオード灯棒状灯具である。
請求項１４の考案は、前記主照明灯棒のヒートシンク体外周面に複数のヒートシンクフィンを形成し、該ヒートシンク体中に開口を有する収容領域を形成し、該収容領域開口箇所に着脱可能な組み付け板を装着し、該組み付け板上に少なくとも１つの貫通孔を設け、該ヒートシンク体両端に連通する収容領域の開口箇所にそれぞれ側蓋を設け、防水パッドを結合し、防水性密封し、該回路板は、導熱性を有する回路板であり、該ヒートシンク体の収容領域内に設けられ、ヒートシンク体の側蓋外に伸びる導線を外接し、前記高効率発光ダイオードモジュールが高効率発光ダイオードを内に含む１組の構成部材であり、該回路板上に溶接され、該高効率発光ダイオードモジュールの発光端が該組み付け板の貫通孔を通過し外部に投光できることを特徴とする請求項１乃至８のいずれか１項記載の発光ダイオード灯棒状灯具である。
請求項１５の考案は、前記主照明灯棒の各高効率発光ダイオードモジュールの出光端に光反射マスクを装着し、該回路板上に組み付け、該光反射マスク前端に透光体を装着し、該透光体が平面レンズ、凸レンズ、凹レンズ中から一種を選択することを特徴とする請求項１４記載の発光ダイオード灯棒状灯具である。
【考案の効果】
【００１３】
本考案の発光ダイオード灯棒状灯具設計は、少なくとも以下の利点を含む：
１．修理が簡便である
２．独立したヒートシンク機制：各主照明灯棒が独立したヒートシンク機制を有し、ヒートシンク効果が良好である。各主照明棒自身がヒートシンク対を有するので、該ヒートシンク体がその中に組み込む高効率発光ダイオードモジュールの点灯が発生する熱を外部に散熱し、各主照明灯棒に独立のヒートシンク機制を持たせる。
【考案を実施するための最良の形態】
【００１４】
図１〜図３は、本考案の発光ダイオード灯棒状灯具の好適な実施例であり、図から分かるように、該発光ダイオード灯棒状灯具１は、灯具ソケット１０および数組の主照明灯棒２０を含むか、図３に示すように、更に、少なくとも１つの景観灯棒３０を含むか、図１および図２に示すように、更に灯マスク５０を含み、そのうち、
図１〜図３に示すように、該灯具ソケット１０は、板体で成形したソケット体を含み、該ソケット体は、平面板体、または板体が湾曲成形した立体構成部材であることができ、該板体が湾曲成形したソケット体は、平板部１１および該平板部１１側端に成形される少なくとも１つの傾斜板部１２を有し、前記傾斜板部１２は、該平板部１１に相対し、傾斜角度を有し、該傾斜板部１２は、傾斜した平面状であるか、湾弧した弧曲斜面状等の設計であることができ、該灯具ソケット１０の平板部１１、傾斜板部１２上にそれぞれ複数の貫通孔を設け、主照明灯棒２０をそれぞれその上に取り付けさせることに用いる。
【００１５】
図１〜図３に示す好適実施例のように、該灯具１０のソケット体は、平板部１１に相対して両側にそれぞれ複数の傾斜板部１２を設け、該平板部１１側片から湾曲傾斜を持続し、各一側に湾曲成形する複数の傾斜板部１２が該平板部１１に相対する傾斜角度は、徐々に増加する。図３に示す好適実施例のように、該灯具ソケット１０のソケット体は、更に、両側最外側の傾斜板部１２末端に延伸する縦板部１３を持続し、該２つの縦板部１３上に２つの接続部１３１を相互に間隔を置いて設置し、該２つの接続部１３１間に上向きの凹形口を形成し、それぞれ景観灯棒３０を提供し、その中に組み込む。
【００１６】
図４に示すように、該主照明灯棒２０は、それぞれヒートシンク体２１、回路板２２および少なくとも１つの高効率発光ダイオードモジュール２３を含み、該ヒートシンク体２１は、導熱性材料で製成される長い棒状の中空構成部材であり、それは、該ヒートシンク体２１の出光面に設置する組み付け板２１１と、該ヒートシンク体２１内側に配置する収容領域２１２と、該ヒートシンク体２１外側面に成形する複数のヒートシンク片２１３と、を含み、該回路板２２は、該ヒートシンク体２１の収容領域２１２内に設けられ、前記高効率発光ダイオードモジュール２３は、高効率発光ダイオードを内に含む１組のユニットであり、該高効率発光ダイオードモジュール２３上に１組のピン２３１を設け、該回路板２２のコネクタ２２１上に着脱可能に取り付け、該高効率発光ダイオードモジュール２３の発光端は、該ヒートシンク体２１の組み付け板２１１外に通過でき、該主照明灯棒２０は、ヒートシンク体２１の組み付け板２１１により該灯具ソケット１０上に分布して組み付けされ、該高効率発光ダイオードモジュール２３が発射する光が該灯具ソケット１０を介して外部に投光することができる。
【００１７】
前記主照明灯棒２０のヒートシンク体２１は、導熱材料から製成される構成部材を使用することができ、該組み付け板２１１は、該ヒートシンク体２１の出光面に一体に成形され、該ヒートシンク体２１両端は、収容領域２１２の開口箇所に連通し、それぞれ側面蓋２４を設け、防水パッド２４１を組み合わせ防水性の密封をつくり、該回路板２２上に少なくとも１つの端子ソケット２２２を設け、外接する導線２８が側面蓋２４外に通過し、電源に接続することに用いる。該ヒートシンク体２１の出光面の組み付け板２１１上に高効率発光ダイオードモジュール２３の数量に相対する貫通孔２１４を設け、該高効率発光ダイオードモジュール２３を該組み付け板２１１上に組み付けさせ、ピン２３１が該貫通孔２１４を介して回路板２２上に相対するコネクタ２２１上に挿入され電気接続し、該高効率発光ダイオードモジュール２３を点灯させる時に発生する熱が該ヒートシンク体２１上に直接熱伝導され、ヒートシンクできるようにする。
【００１８】
図４に示すように、前記主照明灯棒２０は、更に各高効率発光ダイオードモジュール２３の出光端に光反射マスク２５を装着でき、該光反射マスク２５前端は、透光体２６を装着でき、該透光体２６は、平面レンズ、凸レンズ、凹レンズ中の一種を選択でき、各高効率発光ダイオードモジュール２３点灯時の発光角度に基づき、平面レンズ、凸レンズ、凹レンズの使用を決定し、該光反射マスク２５は、該ヒートシンク体２１の組み付け板２１１上に固定することができる。
【００１９】
図５に示すもう１つの好適な実施例のように、該主照明灯棒２０は、それぞれ、ヒートシンク体２１、回路板２２および少なくとも１つの高効率発光ダイオードモジュール２３を含み、該ヒートシンク体２１は、導熱性材料で製成した長い棒状構成部材であり、該ヒートシンク体２１外周面は、複数のヒートシンクフィン２１３を形成し、該ヒートシンク体２１中に開口を有する収容領域２１２を形成し、該収容領域２１２開口箇所に着脱可能な組み付け板２１１を装着し、該組み付け板２１１上に少なくとも１つの貫通孔２１４を設け、該ヒートシンク体２１両端に連通する収容領域２１２の開口箇所にそれぞれ側面蓋２４を設け、防水パッド２４１を組み合わせ、防水性密封を作る。該回路板２２は、導熱性を有する回路板（アルミ質回路板等）であることができ、該回路板２２は、該ヒートシンク体２１の収容領域２１２内に設けられ、その上に少なくとも１つの端子ソケット２２２を設け、導線２８を外接し、ヒートシンク体２１の側面蓋２４外に伸び、前記高効率発光ダイオードモジュール２３が高効率発光ダイオードを内に含む１組の構成部材であり、その底面に複数の接点を有し、該高効率発光ダイオードモジュール２３を表面粘着技術を介して該回路板２２上に溶接し、各高効率発光ダイオードモジュール２３の出光端は、更に、光反射マスク２５を設け、該光反射マスク２５前端は、透光体２６を設けることもでき、且つ該透光体２６は、平面レンズ、凸レンズ、凹レンズ中から１種を選択でき、各高効率発光ダイオードモジュール２３点灯時の発光角度を向上することに用いることができ、平面レンズ、凸レンズ、凹レンズの使用を決定し、前記の高効率発光ダイオードモジュール２３の発光端は、該組み付け板２１１の貫通孔２１４を介して外部に投光することができる。
【００２０】
該景観灯棒３０は、灯棒状発光モジュールまたはその他の型式の発光モジュールであることができ、図６に示すように好適実施例のように、該景観灯棒３０は、灯棒状発光ダイオードモジュール設計を採用し、導光体３１、高効率発光ダイオードモジュール３３、制御回路板３４および２つの端蓋３２を含み、該導光体３１は、透光材料（アクリル等）で成形した物体であり、その形状は、直線棒状体であるか、棒状体が成形するその他の幾何形状であることができ、該導光体３１内に散射体を埋め込むことができ、且つ該散射体は、気泡、光ファイバー、拡散剤および拡散粉中の一種から選択することができる。該高効率発光ダイオードモジュール３３は、少なくとも１つの高効率発光ダイオードユニットを含む１組のモジュールであり、該高効率発光ダイオードモジュール３３は、特定波長を発出できる単色型発光ダイオードモジュールであるか、フルカラー型発光ダイオードモジュールであることができ、そのうち、該高効率発光ダイオードモジュール３３がフルカラー型発光ダイオードモジュールである時、複数の異なる波長を発出可能な発光ダイオードを含み、制御を受けて異なる色の光を発出するよう変化させることができ、該高効率発光ダイオードモジュール３３は、該導光体３１の一端に直接設けるか、モジュール固定ソケット３３１によって導光体３１の一体に設置することができ、該高効率発光ダイオードモジュール３３の発光端を、導光体３１の端部に向け、該制御回路板３４は、該高効率発光ダイオードモジュール３３の背面に電機接続し、該制御回路板３４は、導線を外接し、電源に接続することに用い、該高効率発光ダイオードモジュール３３は、１組のピンを有し、該制御回路板３４上にコネクタ３４１を設け、該高効率発光ダイオードモジュール３３がそのピンを該コネクタ３４１に挿入することで、該制御回路板３４に電気接続するようにし、該２つの端蓋３２は、該導光体３１の両端にそれぞれ組み付け、その１つの端蓋３２は、防水パッド３７を結合し、該導光体３１の一体部に組み付け、且つ該高効率発光ダイオードモジュール３３と制御回路板３４をその内にカバーし、該制御回路板３４が外接する導線３９が該蓋体３２を通過するか、さらに、防水プラグ３８を被せ、防水性密封をつくり、該２つの端蓋３２と該導光体３１端部との間は、被覆接合、螺子接合、又はその他の組み付け手段で組み合わせることができ、本実施例中、該２つの端蓋３２は、螺子接合方式で該棒状導光体３１の両端に組み付け、該２つの蓋端３２の外端部は、更に嵌合溝３２１を形成し、該景観灯棒３０を該灯具ソケット１０の両側の縦板部１３の２つの接続部１３１間に組み付け、該嵌合溝３２１と該接続部１３１が嵌合し、該景観灯棒３０を該灯具ソケット１０の縦板部１３上に固定することができる。
【００２１】
前記の景観灯棒３０中の高効率発光ダイオードモジュール３３は、フルカラー型高効率発光ダイオードモジュールである時、該景観灯棒３０が使用する制御回路板３４の一部の回路は、図７に示すように、それは、入力端が、都市電源の交流電源に接続し、該交流電源の周波数をサンプリングし、出力端において対応する連続パルスを送出する交流電源周波数サンプリング回路３５と、複数組の変化モードを内蔵された制御回路３６とを含み、該制御回路３６の入力端が前記交流電源周波数サンプリング回路３５に接続し、該連続パルスを受信し、このパルスが交流電源周波数と同期を得て、変化モードに基づき制御信号を発生することによって、高効率発光ダイオードモジュールの複数の発光ダイオードユニットの明滅及びカラー変化を制御する。
【００２２】
前記交流電源周波数サンプリング回路３５は、光接合器３５１により構成し、該光接合器３５１内部の発光ダイオードは、電流制限回路の整流ダイオード３５２と制限電流抵抗３５３と直列に接続し、入力する交流電源は、該整流ダイオード３５２と制限電流抵抗３５３を介して整流した後、半波波形となり、該光接合器３５１の発光ダイオードは、該整流後の電源によって駆動される。また、該光接合器３５１内部の光トランジスタは、出力抵抗３５４と接地の間に接続し、該出力抵抗３５４のもう一端は、該直流電源に接続する。前記光接合器３５１内部の発光ダイオードは、整流後の半波正弦波によって駆動点灯時、光トランジスタをオンとし、光トランジスタが交互にオン/オフとなることによって、出力抵抗３５４上において、周期性の連続パルスを発生することができる。
【００２３】
これにより、該景観灯棒３０が都市電源の交流電源に外接する時、各地区の都市電源周波数は、何れも同一（例えば、５０Ｈｚまたは６０Ｈｚである）であるので、都市電源の交流電源周波数を該景観灯棒の同期信号として利用し、各発光ダイオード灯棒状灯具１の景観灯棒３０に同期変色の効果を達成させる。
【００２４】
図１、図２に示す好適な実施例のように、前記灯マスク５０は、板体が湾曲製成し灯具ソケット１０にマッチするマスク体であることができ、該灯具ソケット１０に組み込むことに用いることができ、該主照明灯棒２０を内に覆い、または、図３に示す好適実施例のように、該灯具ソケット１０がさらに景観灯棒３０を含む時、前記灯マスク５０も該景観灯棒３０の灯具１０内側に位置する一部分を内に覆い、該灯マスク５０上に複数のヒートシンク孔５１を設け、前記主照明灯棒２０と景観灯棒３０の散熱に有利にする。
【００２５】
本考案は、該発光ダイオード灯棒状灯具１の設計によって、使用時、街灯への応用を例とし、図９に示すように、該発光ダイオード灯棒状灯具１は、灯具ソケット１０を利用し、灯桿２上端に直接組み込むか、図８に示すように、該灯具ソケット１０により固定台３を結合し、螺子を組み合わせ灯桿２上端に組み込むことができ、その次に、該主照明灯棒２０の導線２８および景観灯棒３０の導線３９を該灯桿２内に挿入し電源に接続し、街灯を構成し、該発光ダイオード灯棒状灯具１点灯時、該灯具ソケット１０上に設ける複数の主照明灯棒２０の高効率発光ダイオードモジュール２３が発光する。
【００２６】
前記の灯桿固定ソケット３は、固定式の構造であるか、図８に示すように角度調整可能式の構造であることができ、そのうち、該灯桿固定ソケット３は、ソケット体３Ａ、第１調整部材３Ｂ、第２調整部材３Ｃを含み、該ソケット体３Ａは、螺子によって該灯具ソケット１０上に組み込むことができ、該第１調整部材３Ｂは、該ソケット体３Ａ側端に設けられ、第２調整部材３Ｃは、灯桿２上端に固定でき、該第１調整部材３Ｂ、第２調整部材３Ｃは、相対して嵌合できる嵌合部３１Ｂ，３１Ｃを有し、且つ螺子をその中に貫通させ固定し、該灯桿固定ソケット３に相対して嵌合する第１調整部材３Ｂ、第２調整部材３Ｃの嵌合部位によって変更し、該灯具ソケット１０の傾斜角度を調整し、該灯具の投光角度を変更する。
【００２７】
図１０に示すように、該灯具の配光角度の設計を更に説明し、そのうち、該灯具ソケット１０上の平板部１１に位置する主要照射範囲が灯具の真下であり、両側が平板部１１に相互に隣接する傾斜板部１２の主要照射範囲は、灯具真下の両側であり、もう１つの角度が更に傾いた傾斜板部１２は、その照射範囲が問う具の真下の外回り両側であり、該高効率発光ダイオードモジュール２３の下向きに投光する照射範囲が均等で且つその光形が長棒状の楕円形であることができ、道路照明の需要を満足し、同時に該高効率発光ダイオードモジュール２３の該灯具１０上に区形状を呈し配列する投光光点の設計を利用し、該発光ダイオード灯棒状灯具１を点灯させる時、新規科学技術の視覚効果を呈することができる。
【００２８】
また、道路脇に整列する街灯上に装着する発光ダイオード灯棒状灯具１が該景観灯棒３０を付加する時、該景観灯棒３０は、該高効率発光ダイオードモジュール３３が導光体３１に対して特定波長の色光を投射するか、フルカラー型の高効率発光ダイオードモジュールを利用し、回路制御を組み合わせ、都市電源の交流電源周波数を利用し、該景観灯棒の同期信号として利用し、各景観等棒３０に同期変色の効果を発生させ、街路の景観造型の用途とし、都市美学を創造することができる。
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２９】
【図１】本考案の実施例の発光ダイオード灯棒状灯具を街灯灯桿に設置した立体分解説明図である。
【図２】図１に示す発光ダイオード灯棒状灯具を街灯灯桿に設置した立体説明図である。
【図３】本考案の発光ダイオード灯棒状灯具の灯具ソケット上に景観灯棒を増設し、街灯灯桿に設置した立体説明図である。
【図４】本考案の発光ダイオード灯棒状灯具の各中の主照明灯棒の立体分解説明図である。
【図５】本考案の発光ダイオード灯棒状灯具の各中の主照明灯棒のもう１つの実施例の立体分解説明図である。
【図６】図３に示す発光ダイオード灯棒状灯具中の景観灯棒の立体分解説明図である。
【図７】図６に示す景観等棒の回路部分のブロック図である。
【図８】図１、図２に示す発光ダイオード灯棒状灯具の好適実施例が角度調節可能式灯具固定ソケットを採用し街灯灯桿上に組み付けた立体分解説明図である。
【図９】図３に示す発光ダイオード灯棒状灯具が街灯灯桿上に組み付けられた全体仰視立体説明図である。
【図１０】図２に示す発光ダイオード灯棒状灯具の投光説明図である。
【図１１】図従来の発光ダイオード灯具の立体分解説明図である。
【符号の説明】
【００３０】
１  発光ダイオード灯棒状灯具
２  灯桿
３  灯桿固定ソケット
３Ａ  ソケット体
３Ｂ  第１調整部材
３１Ｂ  嵌合部
３Ｃ  第２調整部材
３１Ｃ  嵌合部
１０  灯具ソケット
１１  平板部
１２  傾斜板部
１３  縦板部
１３１  接続部
２０  主照明灯棒
２１  ヒートシンク体
２１１  組み付け板
２１２  収容領域
２１４  貫通孔
２２  回路板
２２１  コネクタ
２２２  端子ソケット
２３  高効率発光ダイオードモジュール
２３１  ピン
２４  側面蓋
２４１  防水パッド
２５  光反射マスク
２６  透光体
２８  導線
３０  景観灯棒
３１  導光体
３２  端蓋
３２１  嵌合溝
３３  高効率発光ダイオードモジュール
３３１  モジュール固定ソケット
３４  制御回路板
３４１  コネクタ
３５  交流電源周波数サンプリング回路
３５１  光接合器
３５２  整流ダイオード
３５３  制限電流抵抗（電流制限回路）
３５４  出力抵抗
３６  制御回路
３７  防水パッド
３８  防水プラグ
３９  導線
４０  高効率発光ダイオードモジュール
４１  アルミ質回路板
４２  ヒートシンク灯ソケット
４３  灯マスク
５０  灯マスク
５１  ヒートシンク孔
【図１】
0003146628.tif 000003
【図２】
0003146628.tif 000004
【図３】
0003146628.tif 000005
【図４】
0003146628.tif 000006
【図５】
0003146628.tif 000007
【図６】
0003146628.tif 000008
【図７】
0003146628.tif 000009
【図８】
0003146628.tif 000010
【図９】
0003146628.tif 000011
【図１０】
0003146628.tif 000012
【図１１】
0003146628.tif 000013